(57)【要約】【課題】使用形態に応じた充電を行うことができる充電装置および充電システムを提供する。【解決手段】充電装置１０の環境負荷指数表示部１３は、車載バッテリー２１の複数の使用開始時刻候補を、各使用開始時刻候補に応じて車載バッテリー２１の充電を行うときに必要となる電力を発電する際に発生する環境負荷の大きさを表す充電時環境負荷指数を含む環境負荷指数とともに表示する。具体的には、現在の蓄電量から予め定める蓄電量まで車載バッテリー２１を充電するために必要な必要充電時間と、時間帯別の充電時環境負荷指数とに基づいて、各使用開始時刻候補に応じた充電スケジュールおよび充電時環境負荷指数が算出されて表示される。いずれかの使用開始時刻候補が使用開始時刻として出発時刻入力部１４に入力されると、入力された使用開始時刻に応じて、充電制御部１１が、外部電源３０から供給される電力によって、車載バッテリー２１の充電を行う。【選択図】図１
2015104175.tif 000002
【特許請求の範囲】
【請求項１】
外部電源から供給される電力によってバッテリーを充電する充電装置であって、
前記バッテリーの充電に関する制御を行う充電制御部と、
前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、
前記環境負荷指数出力部によって出力された前記複数の使用開始時刻候補のうちのいずれかの使用開始時刻候補が、前記使用開始時刻として入力される使用開始時刻入力部とを備え、
前記環境負荷指数は、各前記使用開始時刻候補に応じて前記バッテリーの充電を行うときに必要となる前記電力を発電する際に発生する環境負荷の大きさを表す充電時環境負荷指数を含み、
前記充電制御部は、前記使用開始時刻入力部に入力された前記使用開始時刻に応じて、前記バッテリーの充電を行うことを特徴とする充電装置。
【請求項２】
前記充電制御部は、
前記バッテリーに現在蓄電されている電力量である現在蓄電量に基づいて、前記現在蓄電量から予め定める蓄電量まで前記バッテリーを充電するために必要な時間である必要充電時間を算出し、
算出した前記必要充電時間と、時間帯別の前記充電時環境負荷指数とに基づいて、各前記使用開始時刻候補に応じた前記バッテリーの充電スケジュールおよび前記環境負荷指数を算出し、
算出した前記環境負荷指数を、各前記使用開始時刻候補とともに前記環境負荷指数出力部に出力させることを特徴とする請求項１に記載の充電装置。
【請求項３】
前記充電制御部は、各前記使用開始時刻候補について、前記使用開始時刻候補までに前記バッテリーの充電が完了し、かつ、前記充電時環境負荷指数が最も小さくなるように、前記充電スケジュールおよび前記環境負荷指数を算出することを特徴とする請求項２に記載の充電装置。
【請求項４】
前記充電制御部は、各前記使用開始時刻候補について、前記使用開始時刻候補から予め定める時間前に前記バッテリーの充電が完了するように、前記充電スケジュールおよび前記環境負荷指数を算出することを特徴とする請求項２に記載の充電装置。
【請求項５】
前記充電制御部は、前記バッテリーの満蓄電量を前記予め定める蓄電量として、前記必要充電時間を算出することを特徴とする請求項２〜４のいずれか１つに記載の充電装置。
【請求項６】
前記バッテリーの蓄電量の目標となる目標蓄電量が入力される目標蓄電量入力部を備え、
前記充電制御部は、前記目標蓄電量入力部に入力された前記目標蓄電量を前記予め定める蓄電量として、前記必要充電時間を算出することを特徴とする請求項２〜５のいずれか１つに記載の充電装置。
【請求項７】
前記充電制御部は、
前記バッテリーの過去の充電記録に基づいて、過去の前記環境負荷指数の平均を表す平均環境負荷指数、および過去の前記環境負荷指数のうち最も小さい環境負荷指数を表す最小環境負荷指数の少なくとも一方を、前記環境負荷指数の参考となる参考環境負荷指数として算出し、
算出した前記参考環境負荷指数を、各前記使用開始時刻候補に応じた前記環境負荷指数とともに前記環境負荷指数出力部に出力させることを特徴とする請求項２〜６のいずれか１つに記載の充電装置。
【請求項８】
前記バッテリーは、電動車両に搭載され、前記電動車両の走行の動力源として使用される車載バッテリーであり、
前記電動車両の目的地が入力される目的地入力部と、
前記電動車両が現在地から前記目的地入力部に入力された目的地まで走行するために必要な前記バッテリーの蓄電量である必要蓄電量を算出する必要蓄電量算出部とを備え、
前記充電制御部は、前記必要蓄電量算出部によって算出された前記必要蓄電量を前記予め定める蓄電量として、前記必要充電時間を算出することを特徴とする請求項２〜７のいずれか１つに記載の充電装置。
【請求項９】
前記電動車両は、前記バッテリー以外に、前記電動車両の走行に使用可能な他の動力源を備えており、
前記環境負荷指数出力部は、
前記充電時環境負荷指数と、前記バッテリーに蓄積された電力を使用せずに前記他の動力源を使用して前記電動車両が走行するときに発生する環境負荷の大きさを表す走行時環境負荷指数とを含む前記環境負荷指数を出力するか、または
前記充電時環境負荷指数として、前記充電時環境負荷指数と前記走行時環境負荷指数とが合算された総合環境負荷指数を含む前記環境負荷指数を出力することを特徴とする請求項８に記載の充電装置。
【請求項１０】
請求項１〜９のいずれか１つに記載の充電装置と、
外部電源とを備えることを特徴とする充電システム。
【発明の詳細な説明】
【技術分野】
【０００１】
本発明は、電動車両などのバッテリーを充電する充電装置および充電システムに関する。
【背景技術】
【０００２】
バッテリーに蓄積された電力を動力源として走行する車両として、電動車両が普及している。電動車両としては、たとえば、モータを駆動源として走行する電気自動車、およびモータとエンジンとの双方を駆動源として走行するプラグインハイブリッド自動車がある。
【０００３】
電動車両のバッテリーは、外部電源から供給される電力によって充電される。外部電源としては、たとえば、電力系統に接続される系統電源、ならびに太陽光発電装置および風力発電装置などの発電装置がある。
【０００４】
電動車両のバッテリーを充電するための技術が、たとえば特許文献１〜３に開示されている。特許文献１に開示されるバッテリー充電装置では、まずユーザが、充電を完了すべき時刻を示す充電終了時刻を含む充電予約入力情報を入力する。特許文献１に開示されるバッテリー充電装置は、入力された充電予約入力情報に含まれる充電終了時刻までに充電を完了する複数の充電予約態様である充電スケジュールと、その各充電スケジュールでの充電料金とをユーザに提示し、ユーザが選択した充電スケジュールに沿って充電を行う。
【０００５】
特許文献２に開示される充電装置は、複数の電力源から供給される電力をバッテリーへ供給する充電計画を複数作成し、ユーザに報知する。充電計画は、充電の終了予定時刻、充電料金および環境負荷を含む。環境負荷は、たとえば、電力源の使用時の二酸化炭素（ＣＯ２）排出量である。報知された複数の充電計画のうちの１つをユーザが選択すると、充電装置は、選択された充電計画に沿って、複数の電力源から選択された電力を利用してバッテリーを充電する。
【０００６】
特許文献３に開示される車両及びエネルギ供給システムは、車両の充電が行われたときに、車両の充電に供された電力が、太陽光発電装置で発電された電力か、熱電併給装置で発電された電力か、または商用電力系統から受電した電力かを区別して管理することによって、車両が電力を消費したときに発生したコストおよびＣＯ２排出量を使用者が知ることができるようにする。
【先行技術文献】
【特許文献】
【０００７】
【特許文献１】特開２００９−１５２１３６号公報
【特許文献２】特開２０１１−１６６８７０号公報
【特許文献３】特開２００９−２４０１５０号公報
【発明の概要】
【発明が解決しようとする課題】
【０００８】
特許文献１に開示されるバッテリー充電装置では、まず初めにユーザが充電完了時刻を入力する必要がある。ユーザが充電料金を知ることができるのは、充電完了時刻を入力した後になるので、ユーザは、充電料金に基づいて充電完了時刻を決めることができず、ユーザにとって使い勝手が悪い。
【０００９】
特許文献１に開示されるバッテリー充電装置において、ユーザが充電料金に基づいて充電完了時刻を決めたい場合には、充電完了時刻の入力を繰返して充電料金を確認する必要があるので、手間がかかる。また、充電完了時刻を変更すれば、より低い料金で充電できる場合であっても、そのことをユーザが知ることができないおそれがある。
【００１０】
ユーザによる電動車両の使用形態は、様々である。ユーザは、環境負荷の多寡に基づいて、充電完了時刻を決めたい場合がある。たとえば、充電完了時刻を遅らせることによって、より環境負荷の少ない電力源、たとえば太陽光発電装置によって生み出された電力で充電できるのであれば、ユーザは、充電完了時刻を遅らせることもある。また逆に、充電完了時刻を遅らせても、それほど環境負荷の低減にならない場合には、ユーザは、電動車両の不意の使用開始に備えて、すぐに充電を開始したいこともある。
【００１１】
特許文献１に開示されるバッテリー充電装置では、充電スケジュールを選択する判断材料が充電料金のみしか提示されないので、たとえば、ユーザが、二酸化炭素などの温室効果ガスの排出量の少ない再生可能エネルギーから発電された電力を積極的に利用したい場合に、ユーザの意図に即した充電スケジュールを提示することができない。したがって、ユーザは、環境負荷の多寡に基づいて充電完了時刻を決めることができず、ユーザにとって使い勝手が悪い。
【００１２】
また、特許文献２に開示される充電装置では、充電速度の短縮、充電料金の低減、および環境負荷の低減などの種々の観点に基づいた充電計画から、ユーザの意図に応じた充電計画を選択することができるが、特許文献１と同様に、ユーザは、環境負荷の多寡に基づいて充電完了時刻を決めることができず、ユーザにとって使い勝手が悪い。
【００１３】
また、モータとエンジンとの双方を駆動源として走行するプラグインハイブリッド自動車では、充電が完了していなくても、化石燃料を動力源とするエンジンを使用することによって、ユーザの希望する目的地までの走行は可能である。しかし、バッテリーに蓄えられた電力が不足した状態でエンジンが使用されると、化石燃料の燃焼に伴って温室効果ガスが排出され、モータで走行する場合と比べて環境負荷が大きくなる。
【００１４】
したがって、特許文献２に開示される電力源の選択のみによる環境負荷の報知および充電計画の報知では、エンジンの使用に伴う温室効果ガスの排出量を反映することが困難であるので、ユーザが環境負荷の多寡に基づいて充電計画を決定したい場合に、ユーザの意図を反映することができない。
【００１５】
特許文献３に開示される車両及びエネルギ供給システムでは、ユーザは、車両が走行したことによる電力消費で発生したコストおよび環境負荷を知ることはできる。しかし、蓄電池の充電完了時刻を充電開始前に知る手段は提供されていないので、ユーザは、環境負荷の多寡に基づいて充電完了時刻を決めることができず、ユーザにとって使い勝手が悪い。
【００１６】
本発明の目的は、使用形態に応じた充電を行うことができる充電装置および充電システムを提供することである。
【課題を解決するための手段】
【００１７】
本発明の充電装置は、外部電源から供給される電力によってバッテリーを充電する充電装置であって、前記バッテリーの充電に関する制御を行う充電制御部と、前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、前記環境負荷指数出力部によって出力された前記複数の使用開始時刻候補のうちのいずれかの使用開始時刻候補が、前記使用開始時刻として入力される使用開始時刻入力部とを備え、前記環境負荷指数は、各前記使用開始時刻候補に応じて前記バッテリーの充電を行うときに必要となる前記電力を発電する際に発生する環境負荷の大きさを表す充電時環境負荷指数を含み、前記充電制御部は、前記使用開始時刻入力部に入力された前記使用開始時刻に応じて、前記バッテリーの充電を行うことを特徴とする。
【００１８】
本発明の充電システムは、前述の本発明の充電装置と、外部電源とを備えることを特徴とする。
【発明の効果】
【００１９】
本発明の充電装置によれば、外部電源から供給される電力によってバッテリーが充電される。バッテリーの充電に関する制御は、充電制御部によって行われる。バッテリーの複数の使用開始時刻候補が、各使用開始時刻候補に応じて充電制御部によって求められる環境負荷指数とともに、環境負荷指数出力部によって出力される。環境負荷指数は、各使用開始時刻候補に応じてバッテリーの充電を行うときに必要となる電力を発電する際に発生する環境負荷の大きさを表す充電時環境負荷指数を含む。
【００２０】
これによって、ユーザは、環境負荷指数出力部によって出力される各使用開始時刻候補に応じた充電時環境負荷指数を含む環境負荷指数に基づいて、いずれの使用開始時刻候補を使用開始時刻とするかを決定して、決定した使用開始時刻を使用開始時刻入力部に入力することができる。
【００２１】
このようにして、出力された複数の使用開始時刻候補のうちのいずれかの使用開始時刻候補が、使用開始時刻として、使用開始時刻入力部に入力される。入力された使用開始時刻に応じて、充電制御部によってバッテリーの充電が行われる。したがって、バッテリーおよびそれを搭載する装置の使用形態に応じた充電を行うことができる。
【００２２】
本発明の充電システムによれば、本発明の充電装置と外部電源とを備えて充電システムが構成される。本発明の充電装置では、前述のように、環境負荷指数出力部によって、バッテリーの複数の使用開始時刻候補が、各使用開始時刻候補に応じた充電時環境負荷指数を含む環境負荷指数とともに出力されるので、これに基づいて、たとえばユーザがバッテリーの使用開始時刻を決定して、バッテリーの充電を行わせることができる。したがって、バッテリーおよびそれを搭載する装置の使用形態に応じた充電を行うことができる充電システムを実現することができる。
【図面の簡単な説明】
【００２３】
【図１】本発明の第１の実施の形態である充電装置１０およびそれを備える充電システム１の構成を示すブロック図である。
【図２】本発明の第１の実施の形態における充電装置１０の充電処理に関する処理手順を示すフローチャートである。
【図３】時間帯別の環境負荷データの一例を示す図である。
【図４】出発時刻別の環境負荷指数の表示方法の一例を示す図である。
【図５】出発時刻別の環境負荷指数の表示方法の他の例を示す図である。
【図６】本発明の第２の実施の形態である充電装置４０およびそれを備える充電システム２の構成を示すブロック図である。
【図７】本発明の第２の実施の形態における充電装置４０の充電処理に関する処理手順を示すフローチャートである。
【図８】本発明の第３の実施の形態である充電装置５０およびそれを備える充電システム３の構成を示すブロック図である。
【図９】本発明の第４の実施の形態である充電システム４の構成を示すブロック図である。
【図１０】モータによる走行と、エンジンによる走行との割合の一例を示す図である。
【図１１】総合環境負荷指数の表示方法の一例を示す図である。
【発明を実施するための形態】
【００２４】
＜第１の実施の形態＞
図１は、本発明の第１の実施の形態である充電装置１０およびそれを備える充電システム１の構成を示すブロック図である。本実施の形態の充電装置１０および充電システム１は、電動車両２０に搭載される車載バッテリー２１を充電する電動車両用充電装置および電動車両用充電システムである。
【００２５】
充電システム１は、電動車両２０および外部電源３０を備えて構成される。電動車両２０は、車載バッテリー２１、蓄電量検出部２２および充電装置１０を備える。充電装置１０は、充電制御部１１、環境負荷データ記憶部１２、環境負荷指数表示部１３および出発時刻入力部１４を備える。外部電源３０は、電動車両２０の外部に設置される。外部電源３０は、たとえば系統電源である。図１において、細線の矢印は、情報の授受を表し、太線の矢印は、電力の授受を表す。
【００２６】
電動車両２０は、たとえば、電気自動車（Electric Vehicle；略称：ＥＶ）またはプラグインハイブリッド自動車（Plug-in Hybrid Electric Vehicle；略称：ＰＨＥＶ）である。電動車両２０がＥＶである場合、電動車両２０は、不図示のモータを駆動源として走行する。電動車両１００がＰＨＥＶである場合、電動車両２０は、不図示のモータとエンジンとの双方を駆動源として走行する。
【００２７】
車載バッテリー２１は、電動車両２０の走行の動力源であり、たとえば、不図示のモータに電力を供給する電力源として使用される。車載バッテリー２１は、電動車両２０の外部に設けられる外部電源３０によって充電可能に構成される。車載バッテリー２１は、たとえばリチウムイオン２次電池によって実現される。
【００２８】
蓄電量検出部２２は、車載バッテリー２１に接続されている。蓄電量検出部２２は、車載バッテリー２１に現在蓄積されている電力量（以下「現在蓄電量」という場合がある）を検出する。蓄電量検出部２２は、検出した現在蓄電量の値を表す蓄電量情報を、充電装置１０の充電制御部１１に与える。
【００２９】
充電装置１０は、外部電源３０から供給される電力によって車載バッテリー２１を充電する。外部電源３０から供給される電力は、具体的には、充電装置１０の充電制御部１１に与えられる。充電制御部１１は、外部電源３０から与えられる電力を車載バッテリー２１に供給して、車載バッテリー２１を充電する。
【００３０】
充電制御部１１は、たとえば、中央演算処理装置（Central Processing Unit；略称：ＣＰＵ）と、書き込み可能なＲＡＭ（Random Access Memory）などのメモリとによって構成される。メモリは、充電制御部１１の制御プログラムを記憶する。ＣＰＵが、メモリに記憶されている制御プログラムを実行することによって、充電装置１０を構成する環境負荷データ記憶部１２、環境負荷指数表示部１３および出発時刻入力部１４の各機能が実現される。充電制御部１１は、電動車両２０の充電に関する制御、具体的には電動車両２０の走行に用いられる車載バッテリー２１の充電に関する制御を行う。
【００３１】
環境負荷データ記憶部１２は、たとえば、ハードディスクドライブ（Hard Disk Drive；略称：ＨＤＤ）装置、書き換え可能かつ不揮発性の半導体メモリ、または書き換え可能な揮発性メモリによって実現される。書き換え可能かつ不揮発性の半導体メモリは、たとえば、フラッシュメモリである。書き換え可能な揮発性メモリは、たとえば、ダイナミックランダムアクセスメモリ（略称：ＤＲＡＭ）またはスタティックランダムアクセスメモリ（略称：ＳＲＡＭ）である。
【００３２】
環境負荷データ記憶部１２は、時間帯別の環境負荷データを記憶する。環境負荷データは、環境負荷の大きさを表す環境負荷指数を表す。環境負荷指数は、具体的には、環境負荷の大きさを数値化した値である。
【００３３】
環境負荷指数は、充電時環境負荷指数を含む。充電時環境負荷指数は、外部電源３０によって車載バッテリー２１の充電を行うときに必要となる電力を発電する際に発生する環境負荷の大きさを表す。本実施の形態では、環境負荷指数は充電時環境負荷指数で構成され、環境負荷データ記憶部１２は、時間帯別の環境負荷データとして、時間帯別の充電時環境負荷指数を表すデータを記憶する。
【００３４】
環境負荷表示部１３は、たとえば液晶ディスプレイによって実現される。環境負荷表示部１３は、複数の出発時刻の候補である出発時刻候補を、各出発時刻候補における充電時環境負荷指数を含む環境負荷指数とともに表示する。ここで、「各出発時刻候補における充電時環境負荷指数」とは、各出発時刻候補に応じて車載バッテリー２１の充電を行うときに必要となる電力を発電する際に発生する環境負荷の大きさを表す充電時環境負荷指数をいう。環境負荷指数は、各出発時刻候補に応じて、充電制御部１１によって求められる。
【００３５】
充電時環境負荷指数は、たとえば、車載バッテリー２１の充電に使用される電力を生成するときに発生する二酸化炭素（ＣＯ２）の量（以下「二酸化炭素（ＣＯ２）排出量」という場合がある）である。充電時環境負荷指数は、車載バッテリー２１の充電に使用される電力を生成するときに発生する、二酸化炭素を含む温室効果ガスの量（以下「温室効果ガス排出量」という場合がある）であってもよい。また、充電時環境負荷指数は、温室効果ガス排出量と、車載バッテリー２１の充電に使用される電力を生成するときに発生する廃棄物の量とを合算した値であってもよい。
【００３６】
環境負荷指数表示部１３は、環境負荷指数出力部に相当する。出発時刻は、車載バッテリー２１の使用を開始する時刻である使用開始時刻に相当し、出発時刻候補は、使用開始時刻の候補となる時刻である使用開始時刻候補に相当する。また、本実施の形態では、出発時刻は、充電が完了する時刻としてユーザが希望する時刻である充電完了希望時刻と同義である。出発時刻候補は、環境負荷指数表示部１３では、ユーザの理解を容易にするために、「出発時刻」として表示される。
【００３７】
出発時刻入力部１４は、たとえば、電動車両２０のユーザによって操作されるタッチパネル、リモートコントローラ、操作ボタン、または音声認識機能を有する音声入力装置などによって実現される。出発時刻入力部１４は、ユーザが数字情報、文字情報、または充電制御部１１への指示情報などの情報を入力するときに用いられる。ユーザによって出発時刻入力部１４が操作されると、出発時刻入力部１４は、ユーザの操作に応じた情報を表す操作信号を生成し、充電制御部１１に与える。
【００３８】
ユーザは、出発時刻入力部１４を操作することによって、環境負荷指数表示部１３に表示された出発時刻候補の中から、希望する出発時刻候補を、出発時刻として入力する。出発時刻入力部１４は、使用開始時刻入力部に相当する。充電制御部１１は、出発時刻入力部１４に入力された出発時刻候補に応じて、車載バッテリー２１の充電を行う。
【００３９】
出発時刻入力部１４がタッチパネルで実現される場合、出発時刻入力部１４は、環境負荷指数表示部１３を構成する表示装置たとえば液晶表示装置の表示画面上に設けられる。この場合、ユーザは、たとえば、環境負荷指数表示部１３の表示画面に表示された出発時刻の部分を指で触ることによって、希望する出発時刻を選択して入力する。
【００４０】
出発時刻入力部１４は、このように環境負荷指数表示部１３に「出発時刻」として表示された出発時刻候補の中から、希望する出発時刻をユーザが選択するように構成されてもよいし、希望する出発時刻をユーザが直接入力するように構成されてもよい。
【００４１】
図２は、本発明の第１の実施の形態における充電装置１０の充電処理に関する処理手順を示すフローチャートである。図２に示すフローチャートの各処理は、充電制御部１１によって実行される。図２に示すフローチャートの処理は、ユーザから充電処理の実行が指示されると開始され、ステップａ１に移行する。ユーザが充電処理の実行を指示する方法としては、たとえば、外部電源３０を電動車両２０に接続する方法、および電動車両２０内に設けられる不図示のスイッチをオン（ＯＮ）する方法がある。
【００４２】
ステップａ１において、充電制御部１１は、蓄電量検出部２２を介して、車載バッテリー２１の現在の蓄電量である現在蓄電量を検出する。現在蓄電量の単位は、たとえば［ｋＷｈ］である。車載バッテリー２１の現在蓄電量が検出されると、ステップａ２に移行する。
【００４３】
ステップａ２において、充電制御部１１は、ステップａ１で蓄電量検出部２２によって検出された現在蓄電量から、予め定める蓄電量まで、車載バッテリー２１を充電するために必要な充電量である必要充電量を算出する。本実施の形態では、予め定める蓄電量は、予め設定した車載バッテリー２１の満蓄電量であり、充電制御部１１は、車載バッテリー２１を満蓄電量にするために必要な充電量、すなわち満蓄電量までの必要充電量を算出する。
【００４４】
具体的には、ステップａ２において、充電制御部１１は、予め設定した車載バッテリー２１の満蓄電量［ｋＷｈ］から、ステップａ１で蓄電量検出部２２によって検出された現在蓄電量［ｋＷｈ］を減算することによって、満蓄電量［ｋＷｈ］までの必要充電量［ｋＷｈ］を算出する。必要充電量が算出されると、ステップａ３に移行する。
【００４５】
ステップａ３において、充電制御部１１は、ステップａ１で検出された現在蓄電量に基づいて、必要充電時間を算出する。ここで、「必要充電時間」とは、現在蓄電量から予め定める蓄電量まで車載バッテリー２１を充電するために必要な時間である。本実施の形態では、予め定める蓄電量は満蓄電量であり、充電制御部１１は、ステップａ２で算出された、満蓄電量までの必要充電量［ｋＷｈ］から、必要充電時間［ｈ］を算出する。
【００４６】
具体的には、充電制御部１１は、以下の式（１）に示すように、必要充電量［ｋＷｈ］を、単位時間あたりに充電可能な電力量（以下「単位時間当たりの充電可能量」という場合がある）Ｋ［ｋＷｈ／ｈ］で割ることによって、必要充電時間［ｈ］を算出する。
必要充電時間［ｈ］＝必要充電量［ｋＷｈ］／Ｋ［ｋＷｈ／ｈ］          …（１）
【００４７】
本実施の形態では、式（１）における単位時間あたりの充電可能量Ｋ［ｋＷｈ／ｈ］は、１時間あたりの充電可能量であり、車載バッテリー２１、充電制御部１１および外部電源３０の特性から予め求められる。必要充電時間が算出されると、ステップａ４に移行する。
【００４８】
ステップａ４において、充電制御部１１は、ステップａ３で算出された必要充電時間と、時間帯別の充電時環境負荷指数とに基づいて、各出発時刻候補に応じた車載バッテリー２１の充電スケジュールおよび環境負荷指数（以下「出発時刻別の充電スケジュールおよび環境負荷指数」という場合がある）を算出する。
【００４９】
具体的には、充電制御部１１は、環境負荷データ記憶部１２に記憶されている時間帯別の環境負荷データが表す時間帯別の充電時環境負荷指数と、ステップａ３で算出された必要充電時間［ｈ］とを照合し、出発時刻別の充電スケジュールおよび環境負荷指数を算出する。環境負荷指数は、本実施の形態では、二酸化炭素（ＣＯ２）排出量に換算した値であり、単位は、たとえば［ｋｇ］である。
【００５０】
図３は、時間帯別の環境負荷データの一例を示す図である。図３において、横軸は、２４時間表記の時刻［時］を示し、縦軸は、充電に供される電力供給源となる発電手段の比率［％］を示す。また、図３では、電力供給源の比率に応じて決定される、時間帯別の充電時環境負荷指数として、１時間毎の二酸化炭素排出量に換算した値であるＣＯ２排出係数［ｋｇ／ｋＷｈ］を併せて示している。
【００５１】
図３では、電力供給源となる各発電手段を参照符号「Ｇ１」、「Ｇ２」、「Ｇ３」、「Ｇ４」で示している。具体的には、図３では、原子力発電装置を参照符号「Ｇ１」で示し、火力発電装置を参照符号「Ｇ２」で示し、太陽光発電装置を参照符号「Ｇ３」で示し、風力発電装置を参照符号「Ｇ４」で示す。また図３では、原子力発電装置Ｇ１を右下がりの斜線のハッチングで示し、火力発電装置Ｇ２を白地で示し、太陽光発電装置Ｇ３を左下がりの斜線のハッチングで示し、風力発電装置Ｇ４を梨地のハッチングで示している。
【００５２】
図３に示す例では、９時〜１０時の間が、火力発電装置Ｇ２によって供給される電力の占める割合が最も大きく、９時〜１０時の時間帯別の充電時環境負荷指数は、二酸化炭素（ＣＯ２）排出量換算で１ｋＷｈあたり０．３０７ｋｇであり、ＣＯ２排出係数で０．３０７ｋｇ／ｋＷｈである。また、１０時〜１１時、１２時〜１３時および１５時〜１６時の時間帯別の充電時環境負荷指数は、ＣＯ２排出量換算で１ｋＷｈあたり０．２００ｋｇであり、ＣＯ２排出係数で０．２００ｋｇ／ｋＷｈである。
【００５３】
１１時〜１２時の時間帯別の充電時環境負荷指数は、ＣＯ２排出量換算で１ｋＷｈあたり０．１３３ｋｇであり、ＣＯ２排出係数で０．１３３ｋｇ／ｋＷｈである。１３時〜１４時の時間帯別の充電時環境負荷指数は、ＣＯ２排出量換算で１ｋＷｈあたり０．２４０ｋｇであり、ＣＯ２排出係数で０．２４０ｋｇ／ｋＷｈである。１４時〜１５時の時間帯別の充電時環境負荷指数は、ＣＯ２排出量換算で１ｋＷｈあたり０．１６０ｋｇであり、ＣＯ２排出係数で０．１６０ｋｇ／ｋＷｈである。
【００５４】
ここで、時間帯別の環境負荷データを図３に示すものとし、現在時刻を９時とし、必要充電時間を２時間とした場合の、出発時刻別の充電スケジュールおよび環境負荷指数の算出方法の一例を以下に説明する。
【００５５】
まず、現在時刻が９時であり、必要充電時間が２時間であるので、出発時刻候補として設定可能な最も早い時刻は１１時である。この場合、９時から１１時までの２時間を使って充電が行われる。このときの充電時環境負荷指数［ｋｇ］は、後述する式（２）〜式（４）に従って算出される。
【００５６】
具体的には、充電制御部１１は、１時間毎に、図３に示す時間帯別の充電時環境負荷指数［ｋｇ／ｋＷｈ］と、単位時間あたりの充電可能量Ｋ［ｋＷｈ／ｈ］と、単位時間、ここでは１時間（１［ｈ］）とを乗ずることによって、充電時環境負荷指数［ｋｇ］を算出する。そして、最後に、充電制御部１１は、算出した各時間の充電時環境負荷指数［ｋｇ］を合計する。合計した値が、出発時刻候補が１１時の場合の環境負荷指数となる。
【００５７】
本実施の形態では、単位時間あたりの充電可能量Ｋ［ｋＷｈ／ｈ］は、前述のように１時間あたりの充電可能量であり、車載バッテリー２１、充電制御部１１および外部電源３０の特性から予め求められる。ここで、単位時間あたりの充電可能量Ｋを、１［ｋＷｈ／ｈ］と仮定すると、９時から１１時までの充電時環境負荷指数は、以下の式（２）〜式（４）に従って算出されて、０．５０７ｋｇとなる。
【００５８】
９時〜１０時の充電時環境負荷指数［ｋｇ］
＝９時〜１０時の時間帯別の充電時環境負荷指数０．３０７［ｋｇ／ｋＷｈ］
×Ｋ［ｋＷｈ／ｈ］×１［ｈ］                    …（２）
【００５９】
１０時〜１１時の充電時環境負荷指数［ｋｇ］
＝１０時〜１１時の時間帯別の充電時環境負荷指数０．２００［ｋｇ／ｋＷｈ］
×Ｋ［ｋＷｈ／ｈ］×１［ｈ］                    …（３）
【００６０】
９時〜１１時の充電時環境負荷指数［ｋｇ］
＝９時〜１０時の充電時環境負荷指数［ｋｇ］
＋１０時〜１１時の充電時環境負荷指数［ｋｇ］    …（４）
【００６１】
次に、出発時刻候補を１１時から１時間延ばして、１２時とした場合の充電スケジュールおよび環境負荷指数［ｋｇ］を算出する。必要充電時間が２時間であるので、９時から１２時までの３時間のうち、２時間を使って充電を行う。
【００６２】
まず、図３から、９時から１２時までの中で、時間帯別の充電時環境負荷指数であるＣＯ２排出係数［ｋｇ／ｋＷｈ］が最も小さい時間帯である１１時から１２時までの１時間は充電を行う。残りの１時間は、時間帯別の充電時環境負荷指数であるＣＯ２排出係数［ｋｇ／ｋＷｈ］が次に小さい時間帯である１０時〜１１時に充電を行う。以上の結果、出発時刻候補が１２時の場合の充電スケジュールは、１０時から１２時までの２時間での充電となる。
【００６３】
また、環境負荷指数［ｋｇ］は、後述する式（５）〜式（７）に示すように、充電を行う各時間について、図３に示す時間帯別の充電時環境負荷指数［ｋｇ／ｋＷｈ］と、単位時間あたりの充電可能量Ｋ［ｋＷｈ／ｈ］と、単位時間である１［ｈ］とを乗ずることによって算出される。そして、最後に各時間の充電時環境負荷指数［ｋｇ］を合計する。合計した値が、出発時刻候補が１２時の場合の環境負荷指数となる。
【００６４】
単位時間あたりの充電可能量Ｋ［ｋＷｈ／ｈ］を、出発時刻候補が１１時の場合と同様に、１［ｋＷｈ／ｈ］と仮定すると、１０時から１２時までの充電時環境負荷指数は、以下の式（５）〜式（７）に従って算出されて、二酸化炭素排出量で０．３３３ｋｇとなる。この値が、出発時刻候補が１２時の場合の環境負荷指数となる。
【００６５】
１０時〜１１時の充電時環境負荷指数［ｋｇ］
＝１０時〜１１時の時間帯別の充電時環境負荷指数０．２００［ｋｇ／ｋＷｈ］
×Ｋ［ｋＷｈ／ｈ］×１［ｈ］                    …（５）
【００６６】
１１時〜１２時の充電時環境負荷指数［ｋｇ］
＝１１時〜１２時の時間帯別の充電時環境負荷指数０．１３３［ｋｇ／ｋＷｈ］
×Ｋ［ｋＷｈ／ｈ］×１［ｈ］                    …（６）
【００６７】
１０時〜１２時の充電時環境負荷指数［ｋｇ］
＝１０時〜１１時の充電時環境負荷指数［ｋｇ］
＋１１時〜１２時の充電時環境負荷指数［ｋｇ］    …（７）
【００６８】
さらに出発時刻候補を１２時から１時間延ばして、１３時とした場合の充電スケジュールおよび環境負荷指数［ｋｇ］を算出する。必要充電時間が２時間であるので、９時から１３時までの４時間のうち、２時間を使って充電を行う。
【００６９】
まず、図３から、９時から１３時までの中で、時間帯別の充電時環境負荷指数であるＣＯ２排出係数［ｋｇ／ｋＷｈ］が最も小さい時間帯である１１時から１２時までの１時間は充電を行う。残りの１時間は、時間帯別の充電時環境負荷指数であるＣＯ２排出係数［ｋｇ／ｋＷｈ］が次に小さい時間帯とする。
【００７０】
図３に示す例では、ＣＯ２排出係数が次に小さい時間帯は、１０時から１１時までの時間帯と、１２時から１３時までの時間帯との２時間あり、どちらで充電を行ってもよい。ここでは、出発時刻候補である１３時に近い時間帯である１２時〜１３時に充電を行うこととする。
【００７１】
以上の結果、出発時刻候補が１３時の場合の充電スケジュールは、１１時から１３時までの２時間での充電となる。また、環境負荷指数［ｋｇ］は、出発時刻候補が１２時の場合と同様に、充電を行う各時間の充電時環境負荷指数［ｋｇ］を合計して算出することができ、二酸化炭素排出量で０．３３３ｋｇとなる。
【００７２】
さらに出発時刻候補を１３時から１時間延ばして、１４時とした場合の充電スケジュールおよび環境負荷指数［ｋｇ］を算出する。必要充電時間が２時間であるので、９時から１４時までの５時間のうち、２時間を使って充電を行う。この場合、図３から、９時から１４時までの中で、時間帯別の充電時環境負荷指数であるＣＯ２排出係数［ｋｇ／ｋＷｈ］が最も小さい時間帯である１１時から１２時までの間と、ＣＯ２排出係数［ｋｇ／ｋＷｈ］が次に小さい時間帯である１２時から１３時までの間との２時間で充電を行う。
【００７３】
以上の結果、出発時刻候補が１４時の場合の充電スケジュールは、１１時〜１３時の２時間での充電となる。また、環境負荷指数［ｋｇ］は、出発時刻候補が１２時の場合および１３時の場合と同様に、充電を行う各時間の充電時環境負荷指数［ｋｇ］を合計して算出することができ、二酸化炭素排出量で０．３３３ｋｇとなる。
【００７４】
さらに出発時刻候補を１４時から１時間延ばして、１５時とした場合の充電スケジュールおよび環境負荷指数［ｋｇ］を算出する。必要充電時間が２時間であるので、９時から１５時までの６時間のうち、２時間を使って充電を行う。この場合、図３から、時間帯別の充電時環境負荷指数であるＣＯ２排出係数［ｋｇ／ｋＷｈ］が最も小さい時間帯である１１時から１２時までの間と、ＣＯ２排出係数［ｋｇ／ｋＷｈ］が次に小さい時間帯である１４時から１５時までの間との２時間で充電を行う。
【００７５】
以上の結果、出発時刻候補が１５時の場合の充電スケジュールは、１１時〜１２時、および１４時〜１５時の２時間での充電となる。また、環境負荷指数［ｋｇ］は、出発時刻候補が１２時の場合および１３時の場合と同様に、充電を行う各時間の充電時環境負荷指数を合算して算出することができ、二酸化炭素排出量で０．２９３ｋｇとなる。
【００７６】
このようにして、出発時刻候補を１時間ずつ延ばしていき、以下の表１に示すように、予め定める先の時刻まで、出発時刻別の充電スケジュールおよび環境負荷指数を算出する。表１は、必要充電時間が２時間である場合の出発時刻別の充電スケジュールおよび環境負荷指数の一例を示す。表１では、出発時刻候補を「出発時刻」として記載している。また、環境負荷指数として、ＣＯ２排出量［ｋｇ］を示している。以上のようにして、図２に示すステップａ４において出発時刻別の充電スケジュールおよび環境負荷指数が算出されると、ステップａ５に移行する。
【００７７】
【表１】
2015104175.tif 000003
【００７８】
ステップａ５において、充電制御部１１は、ステップａ４で算出された出発時刻別の環境負荷指数を、環境負荷指数表示部１３に表示する。ユーザは、環境負荷指数表示部１３の表示内容に基づいて出発時刻を決定し、決定した出発時刻を、出発時刻入力部１４を操作して入力する。
【００７９】
図４は、出発時刻別の環境負荷指数の表示方法の一例を示す図である。図４において、横軸は、出発時刻［時］を示し、縦軸は、環境負荷指数を示す。図４は、表１に示す出発時刻別の環境負荷指数であるＣＯ２排出量［ｋｇ］をグラフに表したものである。出発時刻別の環境負荷指数は、たとえば図４に示すようなグラフとして、環境負荷指数表示部１３に表示される。図４では、出発時刻候補を「出発時刻」として記載している。このようにして環境負荷指数表示部１３に出発時刻別の環境負荷指数が表示されると、図２に示すステップａ６に移行する。
【００８０】
ステップａ６において、充電制御部１１は、ユーザによって出発時刻入力部１４から出発時刻が入力されたか否かを判断する。ステップａ６において、出発時刻が入力されたと判断された場合は、ステップａ７に移行し、出発時刻が入力されていないと判断された場合は、ステップａ８に移行する。
【００８１】
ステップａ７において、充電制御部１１は、ステップａ４で算出した充電スケジュールのうち、ステップａ６で入力されたと判断された出発時刻に対応する充電スケジュールに沿って、車載バッテリー２１の充電を行う。ステップａ７の処理が終了した後は、全ての処理手順を終了する。
【００８２】
ステップａ８において、充電制御部１１は、ユーザによって充電開始指示が入力されたか否かを判断する。充電開始指示は、たとえば、タッチパネルなどの入力手段をユーザが操作することによって入力される。ユーザは、たとえば、出発時刻を指定せずに、すぐに充電を開始させたい場合、入力手段を操作して充電開始指示を入力する。充電開始指示が入力される入力手段としては、たとえば、出発時刻入力部１４を用いることができる。これに限定されず、出発時刻入力部１４とは別個に、充電開始指示が入力される入力手段を設けてもよい。充電開始指示が入力されたと判断された場合は、ステップａ９に移行し、充電開始指示が入力されていないと判断された場合は、ステップａ６に戻る。
【００８３】
ステップａ９において、充電制御部１１は、車載バッテリー２１の充電を開始する。ステップａ９の処理が終了した後は、全ての処理手順を終了する。
【００８４】
以上のように本実施の形態の充電装置１０によれば、出発時刻候補およびそれに対応する出発時刻別の環境負荷指数が、環境負荷指数表示部１３に表示される。これによって、出発時刻別の環境負荷指数がユーザに提示されるので、ユーザは、提示された出発時刻別の環境負荷指数に基づいて、出発時刻候補のうちのいずれを出発時刻とするかを決定して、決定した出発時刻を出発時刻入力部１４に入力することができる。
【００８５】
このようにして、環境負荷指数表示部１３に表示された複数の出発時刻候補のうちのいずれかの出発時刻候補が、出発時刻として、出発時刻入力部１４に入力される。入力された出発時刻に応じて、具体的には、入力された出発時刻に対応する充電スケジュールに沿って、車載バッテリー２１の充電が行われる。したがって、車載バッテリー２１およびそれを搭載する電動車両２０の使用形態に応じた充電を行うことができる。
【００８６】
たとえば、電動車両は、化石燃料のみを動力源とする従来型の車両と比べ、環境負荷が低いことが商品価値として認識されているので、電動車両のユーザも環境に対する意識が高いことが多いと考えられる。本実施の形態では、前述のように、出発時刻別の環境負荷指数と併せて充電スケジュールをユーザに提示するので、いずれの充電スケジュールが環境負荷の低減を期待できるのかをユーザに提示することができる。これによって、ユーザは、環境負荷の多寡に基づいて、出発時刻を決めることができる。したがって、ユーザにとって使い勝手の良い充電装置１０および充電システム１を実現することができる。
【００８７】
また、前述の図３と同様に、環境負荷指数および充電スケジュールとともに、電力供給源を表示させることもできる。これによって、ユーザが、二酸化炭素などの温室効果ガスの排出量が比較的少ない再生可能エネルギーから発電された電力を積極的に利用したい場合に、ユーザの意図に即した充電スケジュールを提示することができる。
【００８８】
以上のような充電装置１０と外部電源３０とを備えて充電システム１が構成される。充電装置１０では、前述のように環境負荷指数表示部１３に、車載バッテリー２１の複数の出発時刻候補が、各出発時刻候補に応じた充電時環境負荷指数を含む環境負荷指数とともに表示される。この各出発時刻候補に応じた充電時環境負荷指数を含む環境負荷指数に基づいて、ユーザが車載バッテリー２１の使用開始時刻を決定して、車載バッテリー２１の充電を行わせることができる。したがって、車載バッテリー２１およびそれを搭載する電動車両２０の使用形態に応じた充電を行うことができる充電システム１を実現することができる。
【００８９】
また、本実施の形態では、現在の蓄電量から予め定める蓄電量まで車載バッテリー２１を充電するために必要な必要充電時間と、時間帯別の充電時環境負荷指数とに基づいて、各使用開始時刻候補に応じた充電スケジュールおよび充電時環境負荷指数が算出される。算出された充電時環境負荷指数を含む環境負荷指数が、各出発時刻候補とともに、環境負荷指数表示部１３に表示される。これによって、環境負荷指数を精度良く算出して、環境負荷指数表示部１３に表示させることができる。
【００９０】
また、本実施の形態では、各出発時刻候補について、各出発時刻候補までに車載バッテリー２１の充電が完了し、かつ、充電時環境負荷指数が最も小さくなるように、充電スケジュールおよび充電時環境負荷指数が算出されて、出発時刻別の環境負荷指数として、環境負荷指数表示部１３に表示される。この充電スケジュールおよび充電時環境負荷指数に基づいてユーザが出発時刻を決定して入力することによって、ユーザが電動車両を使用するのに伴って発生する環境への負荷を効果的に抑制することができる。したがって、ユーザにとって使い勝手が良く、かつ、ユーザが環境への負荷を効果的に抑制することができ、環境保全に貢献可能な充電装置１０および充電システム１を実現することができる。
【００９１】
以上に述べた本実施の形態では、充電制御部１１は、各出発時刻候補までに車載バッテリー２１の充電が完了し、かつ、充電時環境負荷指数が最も小さくなるように、充電スケジュールおよび充電時環境負荷指数を算出するように構成されているが、これに限定されない。
【００９２】
車載バッテリー２１などのバッテリーは、満蓄電状態で長期間保存すると、保存劣化と呼ばれる劣化が進行することが知られている。したがって、充電制御部１１は、保存劣化の防止を重視する場合には、充電時環境負荷指数が最も小さくなるように充電スケジュールおよび充電時環境負荷指数を算出するのではなく、出発時刻候補から予め定める時間前に車載バッテリー２１の充電が完了するように、充電スケジュールおよび充電時環境負荷指数を算出するように構成されることが好ましい。
【００９３】
ここで、「出発時刻候補から予め定める時間前」には、出発時刻候補ちょうどを含む。したがって、充電スケジュールおよび充電時環境負荷指数は、たとえば、出発時刻候補ちょうど、またはその１時間程度前に充電が完了するように算出されればよい。
【００９４】
このように、出発時刻候補から予め定める時間前に車載バッテリー２１の充電が完了するように、充電スケジュールおよび充電時環境負荷指数を算出するように充電制御部１１を構成することによって、ユーザは、保存劣化の発生を可及的に抑制しつつ、充電した場合の環境負荷と出発時刻との関係を認識した上で、出発時刻を決定することができる。
【００９５】
たとえば、時間帯別の環境負荷データを図３に示すものとし、現在時刻を９時とし、必要充電時間を２時間とするとともに、保存劣化の防止を重視して、充電を出発時刻候補の直前２時間で行うようにした場合、出発時刻別の充電スケジュールおよび環境負荷指数は、たとえば表２に示すようになる。表２は、必要充電時間が２時間であり、出発時刻候補の直前２時間で充電を行う場合の出発時刻別の充電スケジュールおよび環境負荷指数の一例を示す。表２では、出発時刻候補を「出発時刻」として記載している。また、環境負荷指数として、ＣＯ２排出量［ｋｇ］を示している。
【００９６】
【表２】
2015104175.tif 000004
【００９７】
また、本実施の形態では、現在蓄電量から満蓄電量まで充電するのに必要な時間が、必要充電時間として算出される。これによって、満蓄電量まで充電するときに発生する環境負荷をユーザに提示することができる。
【００９８】
また、本実施の形態では、充電制御部１１が必要充電量から必要充電時間を算出するときに、前述の式（１）を用いたが、これに限定されない。たとえば、必要充電量と必要充電時間との関係を予め求めたマップを参照し、必要充電量から必要充電時間を取得するようにしてもよい。このようにすることによって、必要充電量と必要充電時間との関係に非線形特性があっても、その特性を反映することができる。
【００９９】
また、本実施の形態では、充電制御部１１が充電時環境負荷指数を算出するときに、単位時間あたりの充電可能量Ｋ［ｋＷｈ／ｈ］を、時間帯によらず同じ値とした場合について説明したが、このような場合に限らない。
【０１００】
車載バッテリー２１などのバッテリーの充電制御では、バッテリーの蓄電量が満蓄電量に近づくと、過充電防止のために、充電に使用される電流である充電電流が漸減されるので、単位時間あたりの充電可能量が低下する。したがって、たとえば、充電完了前の１時間は、それ以前よりも、単位時間あたりの充電可能量Ｋ［ｋＷｈ／ｈ］を小さくして充電時環境負荷指数を算出するようにすればよい。これによって、より精度良く充電時環境負荷指数を算出することができる。
【０１０１】
また、本実施の形態では、出発時刻別の環境負荷指数を、前述の図４に示すように出発時刻と環境負荷指数との関係を表すグラフとして表示する場合について説明したが、これに限定されない。図５は、出発時刻別の環境負荷指数の表示方法の他の例を示す図である。出発時刻別の環境負荷指数は、図４に示す出発時刻と環境負荷指数との関係を表すグラフとして表示されるだけでなく、平均環境負荷指数Ｅａｖｅｒａｇｅおよび最低環境負荷指数Ｅｍｉｎｉｍｕｍの少なくとも一方を含む参考環境負荷指数と重ねて表示されてもよい。
【０１０２】
平均環境負荷指数Ｅａｖｅｒａｇｅは、たとえば以下のようにして求められる。充電装置１０は、過去の充電時の環境負荷指数［ｋｇ］および充電量［ｋＷｈ］を、累積環境負荷指数［ｋｇ］および累積充電量［ｋＷｈ］として不図示の記憶部に記憶しておき、充電制御部１１において、累積環境負荷指数［ｋｇ］を累積充電量［ｋＷｈ］で割ることによって、過去の充電時の平均環境負荷指数［ｋｇ／ｋＷｈ］を算出する。
【０１０３】
充電制御部１１は、算出した平均環境負荷指数［ｋｇ／ｋＷｈ］に、今回の必要充電量［ｋＷｈ］を乗ずることによって、平均環境負荷指数Ｅａｖｅｒａｇｅ［ｋｇ］を算出する。このようにして算出された平均環境負荷指数Ｅａｖｅｒａｇｅ［ｋｇ］は、前述のように出発時刻別の環境負荷指数と重ねて環境負荷指数表示部１３に表示されてもよい。
【０１０４】
また、最小環境負荷指数は、たとえば以下のようにして求められる。充電装置１０は、過去の充電時に用いた時間帯別の環境負荷指データのうち、最も環境負荷指数が小さい時間帯における時間帯別の環境負荷指数［ｋｇ／ｋＷｈ］を、最小環境負荷指数［ｋｇ／ｋＷｈ］として不図示の記憶部に記憶しておき、充電制御部１１において、最小環境負荷指数［ｋｇ／ｋＷｈ］に、今回の必要充電量［ｋＷｈ］を乗ずることによって、最小環境負荷Ｅｍｉｎｉｍｕｍ［ｋｇ］を算出する。このようにして算出された最小環境負荷指数Ｅｍｉｎｉｍｕｍ［ｋｇ］は、前述のように出発時刻別の環境負荷指数と重ねて環境負荷指数表示部１３に表示されてもよい。
【０１０５】
以上のように、平均環境負荷指数Ｅａｖｅｒａｇｅおよび最小環境負荷指数Ｅｍｉｎｉｍｕｍの少なくとも一方を含む参考環境負荷指数を、図５に示すように出発時刻別の環境負荷指数と重ねて環境負荷指数表示部１３に表示することによって、ユーザは、過去の環境負荷指数と今回の環境負荷指数とを比較して、出発時刻を決定することができる。したがって、ユーザにとって、さらに使い勝手が良い充電装置１０および充電システム１を実現することができる。
【０１０６】
また、本実施の形態では、出発時刻別の環境負荷指数は、図４および図５に示すように、縦軸をｋｇ単位の数値としたグラフとして表示されるが、これに限定されない。出発時刻別の環境負荷指数は、たとえば、イラストまたは色彩などを用いて、環境負荷指数の大小が分かる画像として表示されてもよい。
【０１０７】
＜第２の実施の形態＞
図６は、本発明の第２の実施の形態である充電装置４０およびそれを備える充電システム２の構成を示すブロック図である。本実施の形態の充電装置４０および充電システム２は、電動車両２０Ａに搭載される車載バッテリー２１を充電する電動車両用充電装置および電動車両用充電システムである。
【０１０８】
充電システム２は、電動車両２０Ａおよび外部電源３０を備えて構成される。電動車両２０Ａは、車載バッテリー２１、蓄電量検出部２２および充電装置４０を備えて構成される。
【０１０９】
本実施の形態の充電装置４０は、第１の実施の形態の充電装置１０に対して、目的地入力部４１および必要蓄電量算出部４２を追加した構成である。本実施の形態の充電装置４０および充電システム２は、前述の第１の実施の形態の充電装置１０および充電システム１と構成が類似しているので、同一の構成については同一の参照符号を付して、共通する説明を省略する。図６において、細線の矢印は、情報の授受を表し、太線の矢印は、電力の授受を表す。
【０１１０】
目的地入力部４１は、たとえば、電動車両２０Ａのユーザによって操作されるタッチパネル、リモートコントローラ、操作ボタン、または音声認識機能を有する音声入力装置などによって実現される。目的地入力部４１は、ユーザが数字情報、文字情報を入力するときに用いられる。ユーザによって目的地入力部４１が操作されると、目的地入力部４１は、ユーザの操作に応じた情報を表す操作信号を生成し、必要蓄電量算出部４２に与える。
【０１１１】
ユーザは、目的地入力部４１を操作することによって、目的地を入力する。目的地入力部４１は、入力された目的地を表す目的地情報を含む操作信号を生成し、必要蓄電量算出部４２に与える。
【０１１２】
必要蓄電量算出部４２は、目的地入力部４１から与えられた目的地情報に基づいて、目的地情報が表す目的地まで電動車両２０Ａが走行するために必要となる車載バッテリー２１の蓄電量を、必要蓄電量として算出する。
【０１１３】
本実施の形態では、目的地入力部４１および必要蓄電量算出部４２は、車両用のナビゲーションシステムであるカーナビゲーションシステムなどが備える機能を利用するものであり、現在地から目的地までの経路を探索し、その経路に沿って車両が走行するために必要な蓄電量を、必要蓄電量として算出する。
【０１１４】
したがって、本実施の形態では、目的地入力部４１は、カーナビゲーションシステムの目的地入力手段から、目的地が入力される構成であってもよい。この場合、ユーザは、カーナビゲーションシステムの目的地入力手段を操作することによって、目的地を入力する。カーナビゲーションシステムの目的地入力手段は、たとえば、タッチパネル、リモートコントローラ、操作ボタン、または音声認識機能を有する音声入力装置などによって実現される。
【０１１５】
図７は、本発明の第２の実施の形態における充電装置４０の充電処理に関する処理手順を示すフローチャートである。図７に示すフローチャートの処理は、図２に示すフローチャートの処理と類似しているので、同一のステップについては同一のステップ番号を付して、共通する説明を省略する。図７に示すフローチャートの各処理は、必要蓄電量算出部４２および充電制御部１１によって実行される。図７に示すフローチャートの処理は、ユーザから充電処理の実行が指示されると開始され、ステップａ１に移行する。
【０１１６】
本実施の形態では、ステップａ１において、蓄電量検出部２２を介して、車載バッテリー２１の現在蓄電量［ｋＷｈ］が検出されると、ステップｂ１に移行する。
【０１１７】
ステップｂ１において、充電制御部１１は、ユーザによって目的地入力部４１に目的地が入力されたか否かを判断する。目的地が入力されたと判断された場合は、ステップｂ２に移行する。目的地が入力されていないと判断された場合は、ステップａ２に移行し、ステップａ２において、前述の第１の実施の形態と同様にして、満蓄電量までの必要充電量が算出される。
【０１１８】
ステップｂ２において、必要蓄電量算出部４２は、入力された目的地まで走行するために必要となる車載バッテリー２１の蓄電量［ｋＷｈ］を、必要蓄電量［ｋＷｈ］として算出する。必要蓄電量算出部４２によって、必要蓄電量［ｋＷｈ］が算出されると、ステップｂ３に移行する。
【０１１９】
ステップｂ３において、充電制御部１１は、ステップｂ２で算出された必要蓄電量［ｋＷｈ］から、ステップａ１で蓄電量検出部２２を介して検出された現在蓄電量［ｋＷｈ］を減算することによって、車載バッテリー２１を必要蓄電量［ｋＷｈ］にするために必要な充電量［ｋＷｈ］（以下「必要充電量［ｋＷｈ］」という場合がある）を算出する。必要充電量［ｋＷｈ］を算出した後は、ステップａ３に移行する。ステップａ３〜ステップａ９の処理は、前述の図２に示すフローチャートにおけるステップａ３〜ステップａ９の処理と同様に行われる。
【０１２０】
以上のように本実施の形態の充電装置４０によれば、充電制御部１１は、現在蓄電量から、必要蓄電量算出部４２によって算出された必要蓄電量まで車載バッテリー２１を充電するために必要な時間を必要充電時間として算出し、この必要充電時間に基づいて車載バッテリー２１の充電を行う。すなわち、充電制御部１１は、ユーザによって入力された目的地まで走行するために必要な必要蓄電量に対し、不足する量のみ充電を行う。
【０１２１】
これによって、必要以上の充電を行うことがないので、必要充電時間を短くすることができる。必要充電時間が短くなれば、より多くの出発時刻候補を設定することが可能となるので、ユーザにとって出発時刻の選択肢が増える。したがって、ユーザにとって、より使い勝手が良い充電装置４０および充電システム２を実現することができる。
【０１２２】
以上に述べた本実施の形態では、充電装置４０は、ユーザによって目的地入力部４１に目的地が入力可能であり、目的地入力部４１に入力された目的地まで走行するために必要な車載バッテリー２１の蓄電量である必要蓄電量を必要蓄電量算出部４２によって算出するように構成されるが、充電装置の構成は、これに限定されない。充電装置は、たとえば、以下に示す第３の実施の形態の構成であってもよい。
【０１２３】
＜第３の実施の形態＞
図８は、本発明の第３の実施の形態である充電装置５０およびそれを備える充電システム３の構成を示すブロック図である。本実施の形態の充電装置５０および充電システム３は、電動車両２０Ｂに搭載される車載バッテリー２１を充電する電動車両用充電装置および電動車両用充電システムである。
【０１２４】
充電システム３は、電動車両２０Ｂおよび外部電源３０を備えて構成される。電動車両２０Ｂは、車載バッテリー２１、蓄電量検出部２２および充電装置５０を備えて構成される。
【０１２５】
本実施の形態の充電装置５０は、第２の実施の形態の充電装置４０において、目的地入力部４１および必要蓄電量算出部４２に代えて、目標蓄電量入力部５１を備えた構成である。すなわち、本実施の形態の充電装置５０は、第１の実施の形態の充電装置１０に対して、目標蓄電量入力部５１を追加した構成である。
【０１２６】
本実施の形態の充電装置５０および充電システム３は、前述の第１および第２の実施の形態の充電装置１０，４０および充電システム１，２と構成が類似しているので、同一の構成については同一の参照符号を付して、共通する説明を省略する。図８において、細線の矢印は、情報の授受を表し、太線の矢印は、電力の授受を表す。
【０１２７】
目標蓄電量入力部５１は、たとえば、電動車両２０Ｂのユーザによって操作されるタッチパネル、リモートコントローラ、操作ボタン、または音声認識機能を有する音声入力装置などによって実現される。目標蓄電量入力部５１は、ユーザが数字情報、文字情報を入力するときに用いられる。ユーザによって目標蓄電量入力部５１が操作されると、目標蓄電量入力部５１は、ユーザの操作に応じた情報を表す操作信号を生成し、充電制御部１１に与える。
【０１２８】
ユーザは、目標蓄電量入力部５１を操作することによって、希望する目標蓄電量を入力する。目標蓄電量入力部５１は、入力された目標蓄電量を表す目標蓄電量情報を含む操作信号を生成し、充電制御部１１に与える。
【０１２９】
充電制御部１１は、目標蓄電量入力部５１から与えられた目標蓄電量情報に基づいて、現在蓄電量から、目標蓄電量情報が表す目標蓄電量まで車載バッテリー２１を充電するために必要な時間を必要充電時間として算出し、この必要充電時間に基づいて車載バッテリー２１の充電を行う。すなわち、充電制御部１１は、目標蓄電量入力部５１に入力された目標蓄電量に対し、不足する量のみ充電を行う。したがって、必要以上の充電を行うことがないので、必要充電時間を短くすることができる。これによって、より多くの出発時刻候補を設定することが可能となるので、ユーザにとっては、出発時刻の選択肢が増え、より使い勝手の良い充電装置４０となる。
【０１３０】
このように本実施の形態によれば、ユーザが希望する以上の充電を行うことがないので、必要充電時間を短くすることができる。必要充電時間が短くなれば、より多くの出発時間候補を設定することが可能となるので、ユーザにとって出発時刻の選択肢が増える。したがって、ユーザにとって、より使い勝手が良い充電装置５０および充電システム３を実現することができる。
【０１３１】
以上に述べた第１、第２および第３の実施の形態では、時間帯別の環境負荷指数を表すデータの時間帯、および出発時刻候補などの時間の単位を、全て１時間単位としているが、これに限るものではない。時間の単位は、１時間単位よりも小さい単位であってもよいし、１時間単位よりも大きい単位であってもよいが、１時間単位よりも小さい単位の方が、より好ましい。
【０１３２】
このように時間の単位を１時間単位よりも小さい単位とすることによって、１時間単位とした場合に比べて、充電スケジュールをより細かく立てることができるので、より使用形態に応じた充電を行うことができる充電装置および充電システムを実現することができる。１時間単位よりも小さい単位としては、たとえば、３０分単位および１５分単位が挙げられる。
【０１３３】
また、第１、第２および第３の実施の形態の充電システム１，２，３は、充電装置１０，３０，５０を電動車両２０，２０Ａ，２０Ｂに備える構成であるが、充電装置１０，３０，５０は、必ずしも電動車両２０，２０Ａ，２０Ｂに備えられる必要は無い。充電システムは、たとえば、以下に示す第４の実施の形態の構成であってもよい。
【０１３４】
＜第４の実施の形態＞
図９は、本発明の第４の実施の形態である充電システム４の構成を示すブロック図である。本実施の形態の充電システム４は、第１の実施の形態と同様の充電装置１０を備える。本実施の形態における充電装置１０および充電システム４は、電動車両２０Ｃに搭載される車載バッテリー２１を充電する電動車両用充電装置および電動車両用充電システムである。
【０１３５】
本実施の形態における充電装置１０および充電システム４は、前述の第１の実施の形態の充電装置１０および充電システム１と構成が類似しているので、同一の構成については同一の参照符号を付して、共通する説明を省略する。図９において、細線の矢印は、情報の授受を表し、太線の矢印は、電力の授受を表す。
【０１３６】
本実施の形態の充電システム４は、電動車両２０Ｃ、外部電源３０および充電設備６０を備えて構成される。充電設備６０は、電動車両２０Ｃの外部に設置される。電動車両２０Ｃは、車載バッテリー２１、蓄電量検出部２２および車両側コネクタ２３を備える。充電設備６０は、充電装置１０および設備側コネクタ６１を備える。このように本実施の形態の充電システム４では、充電装置１０は、充電設備６０に備えられる。
【０１３７】
車両側コネクタ２３は、電動車両２０Ｃを充電設備６０に接続するためのコネクタである。車両側コネクタ２３は、車載バッテリー２１および蓄電量検出部２２にそれぞれ接続される。設備側コネクタ６１は、電動車両２０Ｃと充電設備６０とを接続するためのコネクタである。設備側コネクタ６１は、充電制御部１１に接続される。
【０１３８】
車両側コネクタ２３と設備側コネクタ６１とが接続されることによって、電動車両２０Ｃと充電設備６０とが接続される。電動車両２０Ｃと充電設備６０とは、車両側コネクタ２３および設備側コネクタ６１を介して、通信可能に接続される。また電動車両２０Ｃと充電設備６０とは、車両側コネクタ２３および設備側コネクタ６１を介して、電力を授受可能に接続される。
【０１３９】
以上のように本実施の形態の充電システム４によれば、充電装置１０は、電動車両２０Ｃの外部に設置される充電設備６０に備えられる。この充電設備６０を、複数の電動車両２０Ｃに対応可能に構成すれば、電動車両２０Ｃに個別に充電装置１０を備える必要がなくなる。したがって、電動車両２０Ｃに個別に充電装置を備える場合に比べて、電動車両２０Ｃの原価を低く抑えることができる。
【０１４０】
また、充電装置の構成を変更する場合には、充電設備６０に備えられる充電装置１０の構成を変更すればよく、電動車両２０Ｃに備えられる充電装置の構成を個別に変更する必要がないので、充電装置の構成を容易に変更することができる。たとえば、充電設備６０に備えられる充電装置１０を、容易に、前述の第２の実施の形態の充電装置４０または第３の実施の形態の充電装置５０を変更することができる。したがって、より使い勝手が良い充電システムを容易に実現することができる。
【０１４１】
以上に述べた第１〜第４の実施の形態の充電装置１０，４０，５０は、時間帯別の環境負荷データとして、予め環境負荷データ記憶部１２に記憶されたものを利用するように構成されているが、これに限定されない。充電装置１０，４０，５０は、たとえば、定期的に、またはユーザから充電処理の実行が指示される度に、充電制御部１１が不図示の通信手段を用いて、電気事業者などから通信によって時間帯別の環境負荷データを取得するように構成されてもよい。
【０１４２】
この場合、ユーザが、環境負荷データ記憶部１２に記憶されている時間帯別の環境負荷データを更新するという煩雑な作業をする必要がないので、ユーザにとって使い勝手が良い充電装置および充電システムを実現することができる。また、更新された時間帯別の環境負荷データを通信によって取得して、これを用いて環境負荷指数を算出することができるので、出発時刻別の環境負荷指数を、より精度良く算出することができる。したがって、信頼性の高い充電装置および充電システムを実現することができる。
【０１４３】
通信手段による通信は、たとえば、無線ＬＡＮ（Local Area Network）などを用いた無線通信でもよいし、ＵＳＢ（Universal Serial Bus）ケーブルまたはＬＡＮケーブルなどを用いた有線通信でもよい。
【０１４４】
また、以上に述べた各実施の形態では、時間帯別の環境負荷指数は、１つの電気事業者が供給する電力供給元の割合に依って決まる値だけでなく、他の電気事業者が供給する電力、自宅の太陽光発電および風力発電による電力など、ユーザが利用可能な、その他の電力供給源も反映した環境負荷指数であることが好ましい。
【０１４５】
このような環境負荷指数を用いることによって、出発時刻別の環境負荷指数を、より精度良く算出することができる。また、そのようにして算出された出発時刻別の環境負荷指数に基づいて出発時刻が決定されて入力されるので、ユーザが利用可能な種々の電力の中から適切な電力を選択して充電に使用することが可能になる。したがって、ユーザは、環境への負荷をさらに効果的に抑制することができるので、効果的に環境保全に貢献することができる。
【０１４６】
また、以上に述べた各実施の形態では、単位として、［ｋＷｈ］、［ｋＷｈ／ｈ］、［ｈ］、［ｋｇ］、［ｋｇ／ｋＷｈ］などを用いているが、これらに限定されず、種々の単位を用いることができる。
【０１４７】
また、以上に述べた各実施の形態の充電装置１０，４０，５０は、環境負荷指数出力部として、環境負荷指数を表示する環境負荷指数表示部１３を備える構成であるが、環境負荷指数表示部１３に代えて、または環境負荷指数表示部１３とともに、環境負荷指数を音声によって出力する音声出力部を、環境負荷指数出力部として備える構成であってもよい。
【０１４８】
環境負荷指数表示部１３は、さらに環境負荷指数に加えて、車載バッテリー２１の充電を行うときにユーザが負担する電気料金も併せて表示するように構成されてもよい。
【０１４９】
また、以上に述べた各実施の形態では、環境負荷指数表示部１３は、環境負荷指数として、充電時環境負荷指数を表示するように構成される。電動車両２０，２０Ａ，２０Ｂ，２０Ｃが、主に車載バッテリー２１に蓄積された電力のみを動力源として走行する電気自動車（ＥＶ）である場合には、環境負荷指数は、充電時環境負荷指数に一致するので、環境負荷指数表示部１３は、前述のように環境負荷指数として充電時環境負荷指数を表示するように構成されればよい。
【０１５０】
これに対し、電動車両２０，２０Ａ，２０Ｂ，２０Ｃが、車載バッテリー２１以外に、電動車両２０，２０Ａ，２０Ｂ，２０Ｃの走行に使用可能な他の動力源を備えている場合には、車載バッテリー２１に蓄積された電力を使わずに走行することがある。この場合、環境負荷指数表示部１３は、充電時環境負荷指数と走行時環境負荷指数とを含む環境負荷指数を表示するか、または充電時環境負荷指数として、充電時環境負荷指数と走行時環境負荷指数とが合算された環境負荷指数（以下「総合環境負荷指数」という場合がある）を出力するように構成されてもよい。
【０１５１】
ここで、「走行時環境負荷指数」とは、車載バッテリー２１に蓄積された電力を使用せずに、他の動力源を使用して電動車両２０，２０Ａ，２０Ｂ，２０Ｃが走行するときに発生する環境負荷の大きさを表す環境負荷指数である。走行時環境負荷指数は、たとえば、化石燃料の燃焼によって発生する温室効果ガスの排出量である。
【０１５２】
電動車両２０，２０Ａ，２０Ｂ，２０Ｃが車載バッテリー２１以外に他の動力源を備えている場合としては、電動車両２０，２０Ａ，２０Ｂ，２０Ｃが、化石燃料を動力源とするエンジンをモータと併用して走行するプラグインハイブリッド自動車（ＰＨＥＶ）である場合が挙げられる。このようにモータとエンジンとの双方を駆動源として走行するプラグインハイブリッド自動車（ＰＨＥＶ）では、充電が完了していなくても、化石燃料を動力源とするエンジンを多用することによって、ユーザの希望する目的地までの走行は可能である。
【０１５３】
仮に、前述の図６に示す第２の実施の形態において、目的地入力部４１に、現在地から１００［ｋｍ］離れた場所が目的地として入力されたとする。また、車載バッテリー２１には、モータで６０［ｋｍ］まで走行可能な電力が蓄積されており、１時間充電する毎に、走行可能な距離が２０［ｋｍ］増加するものとする。
【０１５４】
この場合、モータを使用した走行（以下「モータによる走行」という場合がある）と、エンジンを使用した走行（以下「エンジンによる走行」という場合がある）との割合は、たとえば図１０に示す関係となる。図１０は、モータによる走行と、エンジンによる走行との割合の一例を示す図である。図１０において、横軸は出発時刻［時］を示し、縦軸は走行距離［ｋｍ］を示す。
【０１５５】
前述の図４に示す例では、必要充電時間を２時間としているので、現在時刻が９時の場合において設定可能な最も早い出発時刻候補は１１時となっている。
【０１５６】
しかし、電動車両２０，２０Ａ，２０Ｂ，２０Ｃが、プラグインハイブリッド自動車（ＰＨＥＶ）である場合、車載バッテリー２１の蓄電量が不足してモータで走行できない区間を、エンジンで走行することが可能であるので、最も早い出発時刻候補は９時となる。このとき、図１０に示すように、６０［ｋｍ］はモータによる走行で、残りの４０［ｋｍ］をエンジンによる走行で目的地まで１００［ｋｍ］の道のりを走行することになる。
【０１５７】
この場合、充電を行わずに出発することになるので、充電時環境負荷指数は０［ｋｇ］となる。その反面、エンジンを使用したことによって化石燃料が燃焼するので、これに伴って温室効果ガスが排出される。エンジンによる走行１［ｋｍ］あたりの温室効果ガスの排出量を０．１００［ｋｇ］と仮定すると、走行時環境負荷指数［ｋｇ］は、以下の式（８）に示すようになる。
【０１５８】
走行時環境負荷指数［ｋｇ］
＝０．１００［ｋｇ／ｋｍ］×４０［ｋｍ］
＝４．０００［ｋｇ］                                                …（８）
【０１５９】
また、出発時刻候補を１０時とした場合には、９時から１０時までの１時間の充電が可能となるので、図１０に示すように、モータによる走行が８０［ｋｍ］、エンジンによる走行が２０［ｋｍ］となる。このとき、充電時環境負荷指数［ｋｇ］と走行時環境負荷指数［ｋｇ］とが合算された総合環境負荷指数は、以下の式（９）に示すようになる。
【０１６０】
総合環境負荷指数
＝９時〜１０時の充電時環境負荷指数［ｋｇ］
＋エンジンによる２０［ｋｍ］の走行による走行時環境負荷指数［ｋｇ］
＝０．３０７［ｋｇ］＋０．１００［ｋｇ／ｋｍ］×２０［ｋｍ］
＝２．３０７［ｋｇ］                                                …（９）
【０１６１】
このようにして、出発時刻候補を１時間ずつ延ばしていき、以下の表３に示すように、予め定める先の時刻まで、出発時刻別の充電スケジュールおよび総合環境負荷指数［ｋｇ］を算出する。総合環境負荷指数が、環境負荷指数として環境負荷指数表示部１３に表示される。
【０１６２】
表３は、ＰＨＥＶで１００ｋｍ走行する場合の充電スケジュールおよび総合環境負荷指数の一例を示す。表３では、総合環境負荷指数として、ＣＯ２排出量を示す。また表３では、走行時環境負荷指数として、走行によるＣＯ２排出量（以下「走行による排出量」という場合がある）を併せて示す。
【０１６３】
【表３】
2015104175.tif 000005
【０１６４】
総合環境負荷指数は、たとえば図１１に示すようなグラフとして、環境負荷指数表示部１３に表示される。図１１は、総合環境負荷指数の表示方法の一例を示す図である。図１１では、前述の図４および図５と同様に、出発時刻候補を「出発時刻」として記載している。また、総合環境負荷指数として、ＣＯ２排出量を示している。図１１において、横軸は出発時刻［時］を示し、縦軸はＣＯ２排出量［ｋｇ］を示す。図１１では、前述の図５と同様に、平均環境負荷指数Ｅａｖｅｒａｇｅおよび最小環境負荷指数Ｅｍｉｎｉｍｕｍが、参考環境負荷指数として、併せて記載されている。
【０１６５】
以上のように、環境負荷指数表示部１３は、充電時環境負荷指数と走行時環境負荷指数とを含む環境負荷指数を表示するか、または、充電時環境負荷指数として、充電時環境負荷指数と走行時環境負荷指数とが合算された総合環境負荷指数を含む環境負荷指数を表示するように構成されてもよい。これによって、走行によって発生する環境負荷まで考慮した充電スケジュールをユーザに提示することができる。したがって、ユーザにとって、さらに使い勝手の良い充電装置１０，４０，５０および充電システム１，２，３，４を実現することができる。
【０１６６】
充電時環境負荷指数は、その後の電動車両２０，２０Ａ，２０Ｂ，２０Ｃの走行で消費されると考えると、走行時環境負荷指数と考えることもできる。したがって、エンジンによる走行の走行時環境負荷指数と、充電時環境負荷指数とが合算された総合環境負荷指数が環境負荷指数表示部１３に表示される場合には、走行時環境負荷指数として表示されてもよい。
【０１６７】
また、以上に述べた各実施の形態では、充電装置１０，４０，５０および充電システム１，２，３，４が、電動車両２０，２０Ａ，２０Ｂ，２０Ｃに搭載される車載バッテリー２１を充電する電動車両用充電装置および電動車両用充電システムである場合について説明したが、これに限定されず、他の装置に搭載されるバッテリーを充電する充電装置および充電システムであってもよい。
【０１６８】
なお、本発明は、その発明の範囲内において、各実施の形態を自由に組み合わせることが可能である。また、各実施の形態の任意の構成要素を適宜、変更または省略することが可能である。
【符号の説明】
【０１６９】
１，２，３，４  充電システム、１０，４０，５０  充電装置、１１  充電制御部、１２  環境負荷データ記憶部、１３  環境負荷指数表示部、１４  出発時刻入力部、２０，２０Ａ，２０Ｂ，２０Ｃ  電動車両、２１  車載バッテリー、２２  蓄電量検出部、２３  車両側コネクタ、３０  外部電源、４１  目的地入力部、４２  必要蓄電量算出部、５１  目標蓄電量入力部、６０  充電設備、６１  設備側コネクタ。
【図１】
2015104175.tif 000006
【図２】
2015104175.tif 000007
【図３】
2015104175.tif 000008
【図４】
2015104175.tif 000009
【図５】
2015104175.tif 000010
【図６】
2015104175.tif 000011
【図７】
2015104175.tif 000012
【図８】
2015104175.tif 000013
【図９】
2015104175.tif 000014
【図１０】
2015104175.tif 000015
【図１１】
2015104175.tif 000016
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
外部電源から供給される電力によってバッテリーを充電する充電装置であって、
前記バッテリーの充電に関する制御を行う充電制御部と、
前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、
前記環境負荷指数出力部によって出力された前記複数の使用開始時刻候補のうちのいずれかの使用開始時刻候補が、前記使用開始時刻として入力される使用開始時刻入力部とを備え、
前記環境負荷指数は、各前記使用開始時刻候補に応じて前記バッテリーの充電を行うときに必要となる前記電力を発電する際に発生する環境負荷の大きさを表す充電時環境負荷指数を含み、
前記充電制御部は、
前記バッテリーに現在蓄電されている電力量である現在蓄電量に基づいて、前記現在蓄電量から予め定める蓄電量まで前記バッテリーを充電するために必要な時間である必要充電時間を算出し、
算出した前記必要充電時間と、時間帯別の前記充電時環境負荷指数とに基づいて、各前記使用開始時刻候補に応じた前記バッテリーの充電スケジュールおよび前記環境負荷指数を算出し、
算出した前記環境負荷指数を、各前記使用開始時刻候補とともに前記環境負荷指数出力部に出力させるとともに、
前記バッテリーの過去の充電記録に基づいて、過去の前記環境負荷指数の平均を表す平均環境負荷指数、および過去の前記環境負荷指数のうち最も小さい環境負荷指数を表す最小環境負荷指数の少なくとも一方を、前記環境負荷指数の参考となる参考環境負荷指数として算出し、
算出した前記参考環境負荷指数を、各前記使用開始時刻候補に応じた前記環境負荷指数とともに前記環境負荷指数出力部に出力させ、
前記使用開始時刻入力部に入力された前記使用開始時刻に応じて、前記バッテリーの充電を行うことを特徴とする充電装置。
【請求項２】
前記充電制御部は、各前記使用開始時刻候補について、前記使用開始時刻候補までに前記バッテリーの充電が完了し、かつ、前記充電時環境負荷指数が最も小さくなるように、前記充電スケジュールおよび前記環境負荷指数を算出することを特徴とする請求項１に記載の充電装置。
【請求項３】
前記充電制御部は、各前記使用開始時刻候補について、前記使用開始時刻候補から予め定める時間前に前記バッテリーの充電が完了するように、前記充電スケジュールおよび前記環境負荷指数を算出することを特徴とする請求項１に記載の充電装置。
【請求項４】
前記充電制御部は、前記バッテリーの満蓄電量を前記予め定める蓄電量として、前記必要充電時間を算出することを特徴とする請求項１〜３のいずれか１つに記載の充電装置。
【請求項５】
前記バッテリーの蓄電量の目標となる目標蓄電量が入力される目標蓄電量入力部を備え、
前記充電制御部は、前記目標蓄電量入力部に入力された前記目標蓄電量を前記予め定める蓄電量として、前記必要充電時間を算出することを特徴とする請求項１〜３のいずれか１つに記載の充電装置。
【請求項６】
前記バッテリーは、電動車両に搭載され、前記電動車両の走行の動力源として使用される車載バッテリーであり、
前記電動車両の目的地が入力される目的地入力部と、
前記電動車両が現在地から前記目的地入力部に入力された目的地まで走行するために必要な前記バッテリーの蓄電量である必要蓄電量を算出する必要蓄電量算出部とを備え、
前記充電制御部は、前記必要蓄電量算出部によって算出された前記必要蓄電量を前記予め定める蓄電量として、前記必要充電時間を算出することを特徴とする請求項１〜３のいずれか１つに記載の充電装置。
【請求項７】
前記電動車両は、前記バッテリー以外に、前記電動車両の走行に使用可能な他の動力源を備えており、
前記環境負荷指数出力部は、
前記充電時環境負荷指数と、前記バッテリーに蓄積された電力を使用せずに前記他の動力源を使用して前記電動車両が走行するときに発生する環境負荷の大きさを表す走行時環境負荷指数とを含む前記環境負荷指数を出力するか、または
前記充電時環境負荷指数として、前記充電時環境負荷指数と前記走行時環境負荷指数とが合算された総合環境負荷指数を含む前記環境負荷指数を出力することを特徴とする請求項６に記載の充電装置。
【請求項８】
外部電源から供給される電力によってバッテリーを充電する充電装置であって、
前記バッテリーは、電動車両に搭載され、前記電動車両の走行の動力源として使用される車載バッテリーであり、
前記電動車両は、前記バッテリー以外に、前記電動車両の走行に使用可能な他の動力源を備えており、
前記バッテリーの充電に関する制御を行う充電制御部と、
前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、
前記環境負荷指数出力部によって出力された前記複数の使用開始時刻候補のうちのいずれかの使用開始時刻候補が、前記使用開始時刻として入力される使用開始時刻入力部と、
前記電動車両の目的地が入力される目的地入力部と、
前記電動車両が現在地から前記目的地入力部に入力された目的地まで走行するために必要な前記バッテリーの蓄電量である必要蓄電量を算出する必要蓄電量算出部とを備え、
前記環境負荷指数は、各前記使用開始時刻候補に応じて前記バッテリーの充電を行うときに必要となる前記電力を発電する際に発生する環境負荷の大きさを表す充電時環境負荷指数を含み、
前記充電制御部は、
前記必要蓄電量算出部によって算出された前記必要蓄電量を予め定める蓄電量として、前記バッテリーに現在蓄電されている電力量である現在蓄電量に基づいて、前記現在蓄電量から前記予め定める蓄電量まで前記バッテリーを充電するために必要な時間である必要充電時間を算出し、
算出した前記必要充電時間と、時間帯別の前記充電時環境負荷指数とに基づいて、各前記使用開始時刻候補に応じた前記バッテリーの充電スケジュールおよび前記環境負荷指数を算出し、
算出した前記環境負荷指数を、各前記使用開始時刻候補とともに前記環境負荷指数出力部に出力させ、
前記使用開始時刻入力部に入力された前記使用開始時刻に応じて、前記バッテリーの充電を行い、
前記環境負荷指数出力部は、
前記充電時環境負荷指数と、前記バッテリーに蓄積された電力を使用せずに前記他の動力源を使用して前記電動車両が走行するときに発生する環境負荷の大きさを表す走行時環境負荷指数とを含む前記環境負荷指数を出力するか、または
前記充電時環境負荷指数として、前記充電時環境負荷指数と前記走行時環境負荷指数とが合算された総合環境負荷指数を含む前記環境負荷指数を出力することを特徴とする充電装置。
【請求項９】
請求項１〜８のいずれか１つに記載の充電装置と、
外部電源とを備えることを特徴とする充電システム。
【手続補正２】
【補正対象書類名】明細書
【補正対象項目名】００１７
【補正方法】変更
【補正の内容】
【００１７】
本発明の充電装置は、外部電源から供給される電力によってバッテリーを充電する充電装置であって、前記バッテリーの充電に関する制御を行う充電制御部と、前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、前記環境負荷指数出力部によって出力された前記複数の使用開始時刻候補のうちのいずれかの使用開始時刻候補が、前記使用開始時刻として入力される使用開始時刻入力部とを備え、前記環境負荷指数は、各前記使用開始時刻候補に応じて前記バッテリーの充電を行うときに必要となる前記電力を発電する際に発生する環境負荷の大きさを表す充電時環境負荷指数を含み、前記充電制御部は、前記バッテリーに現在蓄電されている電力量である現在蓄電量に基づいて、前記現在蓄電量から予め定める蓄電量まで前記バッテリーを充電するために必要な時間である必要充電時間を算出し、算出した前記必要充電時間と、時間帯別の前記充電時環境負荷指数とに基づいて、各前記使用開始時刻候補に応じた前記バッテリーの充電スケジュールおよび前記環境負荷指数を算出し、算出した前記環境負荷指数を、各前記使用開始時刻候補とともに前記環境負荷指数出力部に出力させるとともに、前記バッテリーの過去の充電記録に基づいて、過去の前記環境負荷指数の平均を表す平均環境負荷指数、および過去の前記環境負荷指数のうち最も小さい環境負荷指数を表す最小環境負荷指数の少なくとも一方を、前記環境負荷指数の参考となる参考環境負荷指数として算出し、算出した前記参考環境負荷指数を、各前記使用開始時刻候補に応じた前記環境負荷指数とともに前記環境負荷指数出力部に出力させ、前記使用開始時刻入力部に入力された前記使用開始時刻に応じて、前記バッテリーの充電を行うことを特徴とする。
また本発明の充電装置は、外部電源から供給される電力によってバッテリーを充電する充電装置であって、前記バッテリーは、電動車両に搭載され、前記電動車両の走行の動力源として使用される車載バッテリーであり、前記電動車両は、前記バッテリー以外に、前記電動車両の走行に使用可能な他の動力源を備えており、前記バッテリーの充電に関する制御を行う充電制御部と、前記バッテリーの使用を開始する時刻である使用開始時刻の候補となる複数の使用開始時刻候補を、各前記使用開始時刻候補に応じて前記充電制御部によって求められる環境負荷の大きさを表す環境負荷指数とともに出力する環境負荷指数出力部と、前記環境負荷指数出力部によって出力された前記複数の使用開始時刻候補のうちのいずれかの使用開始時刻候補が、前記使用開始時刻として入力される使用開始時刻入力部と、前記電動車両の目的地が入力される目的地入力部と、前記電動車両が現在地から前記目的地入力部に入力された目的地まで走行するために必要な前記バッテリーの蓄電量である必要蓄電量を算出する必要蓄電量算出部とを備え、前記環境負荷指数は、各前記使用開始時刻候補に応じて前記バッテリーの充電を行うときに必要となる前記電力を発電する際に発生する環境負荷の大きさを表す充電時環境負荷指数を含み、前記充電制御部は、前記必要蓄電量算出部によって算出された前記必要蓄電量を予め定める蓄電量として、前記バッテリーに現在蓄電されている電力量である現在蓄電量に基づいて、前記現在蓄電量から前記予め定める蓄電量まで前記バッテリーを充電するために必要な時間である必要充電時間を算出し、算出した前記必要充電時間と、時間帯別の前記充電時環境負荷指数とに基づいて、各前記使用開始時刻候補に応じた前記バッテリーの充電スケジュールおよび前記環境負荷指数を算出し、算出した前記環境負荷指数を、各前記使用開始時刻候補とともに前記環境負荷指数出力部に出力させ、前記使用開始時刻入力部に入力された前記使用開始時刻に応じて、前記バッテリーの充電を行い、前記環境負荷指数出力部は、前記充電時環境負荷指数と、前記バッテリーに蓄積された電力を使用せずに前記他の動力源を使用して前記電動車両が走行するときに発生する環境負荷の大きさを表す走行時環境負荷指数とを含む前記環境負荷指数を出力するか、または前記充電時環境負荷指数として、前記充電時環境負荷指数と前記走行時環境負荷指数とが合算された総合環境負荷指数を含む前記環境負荷指数を出力することを特徴とする。
【手続補正３】
【補正対象書類名】明細書
【補正対象項目名】００２１
【補正方法】変更
【補正の内容】
【００２１】
このようにして、出力された複数の使用開始時刻候補のうちのいずれかの使用開始時刻候補が、使用開始時刻として、使用開始時刻入力部に入力される。入力された使用開始時刻に応じて、充電制御部によってバッテリーの充電が行われる。したがって、バッテリーおよびそれを搭載する装置の使用形態に応じた充電を行うことができる。
また、現在蓄電量に基づいて、現在蓄電量から予め定める蓄電量まで車載バッテリーを充電するために必要な必要充電時間が算出される。算出された必要充電時間と、時間帯別の充電時環境負荷指数とに基づいて、各使用開始時刻候補に応じたバッテリーの充電スケジュールおよび環境負荷指数が算出される。算出された環境負荷指数が、各使用開始時刻候補とともに環境負荷指数出力部によって出力される。これによって、環境負荷指数を精度良く算出して、環境負荷指数出力部に出力させることができる。
また、平均環境負荷指数および最小環境負荷指数の少なくとも一方が参考環境負荷指数として算出され、各使用開始時刻候補に応じた環境負荷指数とともに環境負荷指数出力部によって出力される。これによって、ユーザは、過去の環境負荷指数と今回の環境負荷指数とを比較して、使用開始時刻を決定することができる。したがって、ユーザにとって、さらに使い勝手が良い充電装置を実現することができる。
また本発明の充電装置によれば、外部電源から供給される電力によってバッテリーが充電される。バッテリーは、電動車両に搭載され、電動車両の走行の動力源として使用される車載バッテリーであり、電動車両は、バッテリー以外に、電動車両の走行に使用可能な他の動力源を備えている。バッテリーの充電に関する制御は、充電制御部によって行われる。バッテリーの複数の使用開始時刻候補が、各使用開始時刻候補に応じて充電制御部によって求められる環境負荷指数とともに、環境負荷指数出力部によって出力される。環境負荷指数は、各使用開始時刻候補に応じてバッテリーの充電を行うときに必要となる電力を発電する際に発生する環境負荷の大きさを表す充電時環境負荷指数を含む。
これによって、ユーザは、環境負荷指数出力部によって出力される各使用開始時刻候補に応じた充電時環境負荷指数を含む環境負荷指数に基づいて、いずれの使用開始時刻候補を使用開始時刻とするかを決定して、決定した使用開始時刻を使用開始時刻入力部に入力することができる。
このようにして、出力された複数の使用開始時刻候補のうちのいずれかの使用開始時刻候補が、使用開始時刻として、使用開始時刻入力部に入力される。入力された使用開始時刻に応じて、充電制御部によってバッテリーの充電が行われる。したがって、バッテリーおよびそれを搭載する装置の使用形態に応じた充電を行うことができる。
また、必要蓄電量算出部によって算出された必要蓄電量を予め定める蓄電量として、現在蓄電量に基づいて、現在蓄電量から予め定める蓄電量までバッテリーを充電するために必要な必要充電時間が算出される。算出された必要充電時間と、時間帯別の充電時環境負荷指数とに基づいて、各使用開始時刻候補に応じたバッテリーの充電スケジュールおよび環境負荷指数が算出される。算出された環境負荷指数が、各使用開始時刻候補とともに環境負荷指数出力部によって出力される。これによって、環境負荷指数を精度良く算出して、環境負荷指数出力部に出力させることができる。
また、充電制御部は、前述のように、現在蓄電量から、必要蓄電量算出部によって算出された必要蓄電量までバッテリーを充電するために必要な時間を必要充電時間として算出し、この必要充電時間に基づいてバッテリーの充電を行う。すなわち、充電制御部は、ユーザによって入力された目的地まで走行するために必要な必要蓄電量に対し、不足する量のみ充電を行う。
これによって、必要以上の充電を行うことがないので、必要充電時間を短くすることができる。必要充電時間が短くなれば、より多くの使用開始時刻候補を設定することが可能となるので、ユーザにとって使用開始時刻の選択肢が増える。したがって、ユーザにとって、より使い勝手が良い充電装置を実現することができる。
また、環境負荷指数出力部は、充電時環境負荷指数と走行時環境負荷指数とを含む環境負荷指数を出力するか、または、充電時環境負荷指数として、充電時環境負荷指数と走行時環境負荷指数とが合算された総合環境負荷指数を含む環境負荷指数を出力する。これによって、走行によって発生する環境負荷まで考慮した充電スケジュールをユーザに提示することができる。したがって、ユーザにとって、さらに使い勝手の良い充電装置を実現することができる。
【手続補正４】
【補正対象書類名】明細書
【補正対象項目名】００２２
【補正方法】変更
【補正の内容】
【００２２】
本発明の充電システムによれば、本発明の充電装置と外部電源とを備えて充電システムが構成される。本発明の充電装置では、前述のように、環境負荷指数出力部によって、バッテリーの複数の使用開始時刻候補が、各使用開始時刻候補に応じた充電時環境負荷指数を含む環境負荷指数とともに出力されるので、これに基づいて、たとえばユーザがバッテリーの使用開始時刻を決定して、バッテリーの充電を行わせることができる。したがって、バッテリーおよびそれを搭載する装置の使用形態に応じた充電を行うことができる充電システムを実現することができる。また、ユーザにとって、さらに使い勝手が良い充電システムを実現することができる。
【手続補正５】
【補正対象書類名】明細書
【補正対象項目名】００２６
【補正方法】変更
【補正の内容】
【００２６】
電動車両２０は、たとえば、電気自動車（Electric Vehicle；略称：ＥＶ）またはプラグインハイブリッド自動車（Plug-in Hybrid Electric Vehicle；略称：ＰＨＥＶ）である。電動車両２０は、ＥＶである場合、不図示のモータを駆動源として走行する。電動車両２０は、ＰＨＥＶである場合、不図示のモータとエンジンとの双方を駆動源として走行する。